(57)【要約】  本発明の主題は、無線送受信局によりカバーされる地理的エリアに存在するユーザ端末（３０５、３０６、３０７）が、無線電気通信システムにより供給されるサービスにアクセスすることを可能にする分散型無線ヘッド（３０３）を備えた無線送受信局である。前記無線ヘッドは、分散フレーム機器（３０４）、カバレッジエリアにおいて分散された複数の分散型アクセスポイント（３０８、３０９、３１０、３１１、３１２）、および分散フレーム機器と分散型アクセスポイントとの間の通信手段から構成され、分散フレームは、カバレッジエリアにおいて送信されることになるベースバンド信号のサンプルを、すべての分散型アクセスポイントに送信する手段を備える。前記分散型アクセスポイントは、前記信号を電波の形式でカバレッジエリアに存在するユーザ端末（３０５、３０６、３０７）に送信する前に、前記信号を搬送波周波数に変換することを可能にする無線周波数処理手段を備える。
2015510290.tif 000002
【特許請求の範囲】
【請求項１】
無線送受信局であって、前記局によってカバーされる地理的エリアに存在するユーザ端末（３０５、３０６、３０７）が、無線電気通信システムにより供給されるサービスにアクセスすることを可能にする分散型無線ヘッド（３０３）を備え、前記無線ヘッド（３０３）は、分散フレーム機器（２０９、３０４）、カバレッジエリアにおいて分散された複数の分散型アクセスポイント（２０５、２０６、２０７、２０８、３０８、３０９、３１０、３１１、３１２）、および前記分散フレーム機器と前記分散型アクセスポイントとの間の通信手段から構成され、前記分散フレーム（２０９）は、前記カバレッジエリアにおいて送信されることになるベースバンド信号のサンプルを、前記分散型アクセスポイントのすべてに送信する手段を備え、前記分散型アクセスポイントは、前記カバレッジエリアに存在する前記ユーザ端末（３０５、３０６、３０７）に電波の形式での送信の前に、前記信号を搬送波周波数に変換することを可能にする無線周波数処理手段を備える送受信局。
【請求項２】
前記分散型アクセスポイントは、ユーザ端末（３０５、３０６、３０７）から受信されたベースバンド信号を前記分散フレーム機器（２０９、３０４）に送信する前に、前記ベースバンド信号に変換する手段を備える請求項１に記載の送受信局。
【請求項３】
前記分散フレーム機器（２０９、３０４）は、無線アクセスポイントからの前記信号を結合する手段を備える請求項２に記載の送受信局。
【請求項４】
前記分散フレーム機器（２０９、３０４）は、分散型アクセスポイント（２０５、２０６、２０７、２０８、３０８、３０９、３１０、３１１、３１２）からの前記信号を加重和によって結合する請求項３に記載の送受信局。
【請求項５】
前記加重和の結果は、デジタルアンテナビームフォーミングを行うのに使用される請求項４に記載の送受信局。
【請求項６】
前記分散フレーム機器（２０９、３０４）と前記分散型アクセスポイント（２０５、２０６、２０７、２０８、３０８、３０９、３１０、３１１、３１２）との間の前記通信手段は、ＣＰＲＩタイプの光リンクに対応する請求項１〜５のいずれか一項に記載の送受信局。
【請求項７】
前記分散フレーム機器（２０９、３０４）は、同一の長さの光ファイバによって、各分散型アクセスポイント（２０５、２０６、２０７、２０８、３０８、３０９、３１０、３１１、３１２）にリンクされて、前記分散フレーム機器により送信および受信された前記信号の遅延の拡散を発生させることを防止する請求項６に記載の送受信局。
【請求項８】
前記分散フレーム機器（２０９、３０４）と前記分散型アクセスポイント（２０５、２０６、２０７、２０８、３０８、３０９、３１０、３１１、３１２）との間の前記通信手段は、有線リンクまたは専用無線リンクに対応する請求項１〜７のいずれか一項に記載の送受信局。
【請求項９】
分散型アクセスポイント（２０５、２０６、２０７、２０８、３０８、３０９、３１０、３１１、３１２）は、ユーザ端末が近隣において検出されないときにオフとなる請求項１〜８のいずれか一項に記載の送受信局。
【請求項１０】
オフである分散型アクセスポイント（２０５、２０６、２０７、２０８、３０８、３０９、３１０、３１１、３１２）は、前記ユーザ端末が近隣に位置するかを確認するために定期的にウェイクアップし、前記ユーザ端末の存在は、受信電力レベルが予め定義された閾値を上回るときに確認される請求項９に記載の送受信局。
【請求項１１】
前記ユーザ端末（３０５、３０６、３０７）の場所は、異なる分散型アクセスポイントにより受信された複数の信号に基づいて実行される三角測量によって推定され、前記推定は、前記分散フレームにおいて実装される請求項１〜１０のいずれか一項に記載の送受信局。
【請求項１２】
ＧＳＭ、ＵＭＴＳ、ＬＴＥの１つまたは複数に対して適合される請求項１〜１１のいずれか一項に記載の送受信局。
【請求項１３】
ユーザ端末（３０５、３０６、３０７）が、無線電気通信システムにより供給されるサービスにアクセスすることを可能にする分散型無線ヘッド（３０３）であって、前記無線ヘッド（３０３）は、分散フレーム機器（２０９、３０４）、カバレッジエリアにおいて分散された複数の分散型アクセスポイント（２０５、２０６、２０７、２０８、３０８、３０９、３１０、３１１、３１２）、および前記分散フレーム機器と前記分散型アクセスポイントとの間の通信手段から構成され、前記分散フレーム機器（２０９）は、前記カバレッジエリアにおいて送信されることになる信号を、前記分散アクセスポイントのすべてに送信する手段を備え、前記分散型アクセスポイントは、前記信号を、電波の形式で前記カバレッジエリアに存在する前記ユーザ端末（３０５、３０６、３０７）に送信する前に、前記信号を搬送波周波数に変換することを可能にする無線周波数処理手段を備える分散型無線ヘッド。
【請求項１４】
前記分散型アクセスポイントは、ユーザ端末（３０５、３０６、３０７）から受信されたベースバンド無線信号を前記分散フレーム機器（２０９、３０４）に送信する前に、前記ベースバンド無線信号に変換する手段を備える請求項１２に記載の分散型無線ヘッド。
【発明の詳細な説明】
【技術分野】
【０００１】
本発明は、分散型無線ヘッドを備えた送受信局に関し、特に、無線電気通信の分野に適用する。
【背景技術】
【０００２】
現在の無線電気通信システムは、ユーザ端末が、１つまたは複数のオペレータによってそれらに供給されるサービスにアクセスすることを可能にする送受信局に基づいている。
【０００３】
ＷｉＦｉのような一部のシステムは、ユーザ端末のモビリティを管理しない。使用される送受信局は、当該局または配備された局のカバレッジエリアに対応するエリア内のサービスにアクセスすることを可能にする。
【０００４】
他のシステムは、ユーザ端末のモビリティを管理して、これらのユーザのいかなる移動に関わらず、サービスの継続性を保証する。そのことは、特に、第２、第３、および第４世代モバイル無線システムに当てはまる。第２世代システムの１つの例は、ＧＳＭシステムであり、ＧＳＭは、「Ｇｌｏｂａｌ  Ｓｙｓｔｅｍ  ｆｏｒ  Ｍｏｂｉｌｅ  ｃｏｍｍｕｎｉｃａｔｉｏｎｓ」の頭字語である。第３世代システムの例は、ＵＭＴＳシステムであり、ＵＭＴＳは、「Ｕｎｉｖｅｒｓａｌ  Ｍｏｂｉｌｅ  Ｔｅｌｅｃｏｍｍｕｎｉｃａｔｉｏｎ  ｓｙｓｔｅｍ」の頭字語である。第４世代システムの例は、ＬＴＥシステムであり、ＬＴＥは、「Ｌｏｎｇ  Ｔｅｒｍ  Ｅｖｏｌｕｔｉｏｎ」の頭字語である。ＧＳＭシステムの送受信局は、基地局と称され、および、「ベーストランシーバ基地局（Ｂａｓｅ  Ｔｒａｎｓｃｅｉｖｅｒ  Ｓｔａｔｉｏｎ）」を表している、頭字語ＢＴＳにより指定される。ＵＭＴＳシステムの送受信局はＮｏｄｅＢと称され、および、ＬＴＥシステムのそれらは、ｅＮｏｄｅＢと称される。以下の発明の詳細な説明では、用語「局」は、送受信局を指定する。
【０００５】
サービスの継続性を保証するために、モバイル無線システムの実装に対して、十分な局を配備して、システムのオペレータによりターゲットとされるエリアのすべてをカバーすることが必要となる。さらに、都市部などの高人口密度のエリアでは、ユーザ間で共有されることになる無線リソースが限定されるので、局の数はさらに多くなる必要があるであろう。
【０００６】
無線アクセスネットワークの現在のアーキテクチャは、増え続ける数の機能を組み合わせた局を備えたアーキテクチャに向かって進化している。このような局は、例えば、フィルタリングおよびベースバンド変換などの無線周波数処理動作、ならびに、チャネルコーディングおよび暗号化などのデジタル処理動作も組み合わせる。そのことは、特に、ＧＳＭ、ＵＭＴＳおよびＬＴＥ技術においてそれぞれ使用されるＢＴＳ、ｎｏｄｅＢおよびｅＮｏｄｅＢの局に当てはまる。
【０００７】
ＵＭＴＳでは、ＮｏｄｅＢは、「無線ネットワークコントローラ（Ｒａｄｉｏ  Ｎｅｔｗｏｒｋ  Ｃｏｎｔｒｏｌｌｅｒ）」を表す、ＲＮＣと称される無線アクセスネットワークの第２の設備機器とのゲートウェイとして作動する。
【０００８】
特に最近では、ＬＴＥ標準は、ｅＮｏｄｅＢと称される単一タイプの要素で構成されたアクセスネットワークアーキテクチャを定義する。ＲＮＣによって従来実装されていた機能の大部分は、ｅＮｏｄｅＢとシステムコアネットワークとの間で分散される。したがって、ＬＴＥアクセスネットワークは、ｅＮｏｄｅＢのみで構成される。これらの動向の目的は、無線アクセスネットワークのアーキテクチャを簡略化することであり、および、無線アクセスネットワークの配備を簡略化することである。
【発明の概要】
【発明が解決しようとする課題】
【０００９】
しかしながら、このアプローチは、多くの欠点を提起する。局が非常に高価となるので、オペレータは、十分な収益を生むためにそれらの数を削減することに関心がある。したがって、局によりカバーされるエリアは、できるだけ広範囲であるべきである。以下の発明の詳細な説明では、このエリアはカバレッジエリアと称される。局の数を最小化することは、比較的高い送信および受信電力レベルを伴う。これらのレベルは、このエリアに存在するすべてのユーザ端末が、システムにアクセスすることができるために必要となる。したがって、電力密度は、これらのシステムによりカバーされるエリアにおいて高く、および、人々は、人類の健康に関するこれらの電力密度の影響を懸念する。さらに、これらの局は、通常は大きい。これらの局が人々によってますます受け入れられなくなっているため、特に、それらのサイズ、それゆえにそれらの見通し（ｖｉｓｉｂｉｌｉｔｙ）を理由に、それらの見通しがそれらの設置における問題の源である。
【００１０】
さらに、高い送信電力を理由に、エネルギー消費は著しい。これは、局に位置するパネルを使用することによって、太陽エネルギーを使用することが困難であることを意味する。実際には、局の現在の電力産出は、一般に、使用される電力増幅器によって、および、演算プロセッサによって抑えられる。
【００１１】
別の解決策は、加入者の家庭に設置されたＷｉＦｉ端末または「セットトップボックス」を使用し、ならびに、これらを無線アクセスポイントとして使用することである。オペレータに対するエネルギー課金は、この場合は、効率的に削減されるが、加入者のそれの損失へとなる。さらに、機器の共有使用を理由に、加入者は、家庭において著しくおよび永続的な電磁放射を被る。さらに、このタイプの解決策では、セットトップボックスが位置する建物の外側の無線カバレッジは、壁に起因する侵入損失を理由に、困難なものとなる。
【００１２】
本発明の目的の１つは、特に、上述した欠点を軽減するものである。
【課題を解決するための手段】
【００１３】
この目的を達成するために、本発明の主題は、局によりカバーされる地理的エリアに存在するユーザ端末が、無線電気通信システムにより供給されるサービスにアクセスすることを可能にする分散型無線ヘッドを備えた無線送受信局である。前記無線ヘッドは、分散フレーム機器、カバレッジエリアにおいて分散された複数の分散型アクセスポイント、および分散フレーム機器と分散型アクセスポイントとの間の通信手段から構成される。分散フレームは、カバレッジエリアにおいて送信されることになるベースバンド信号のサンプルを、すべての分散型アクセスポイントに送信する手段を備える。分散型アクセスポイントは、前記信号を電波の形式でカバレッジエリアに存在するユーザ端末に送信する前に、それを搬送波周波数に変換する（ｔｒａｎｓｐｏｓｅ）ことを可能にする無線周波数処理手段を備える。
【００１４】
本発明の一態様によると、分散型アクセスポイントは、ユーザ端末から受信されたベースバンド信号を分散フレーム機器に送信する前に、それらに変換する手段を備える。
【００１５】
分散フレーム機器は、例えば、無線アクセスポイントからの信号を結合する手段を備える。
【００１６】
一実施形態では、分散フレーム機器は、分散型アクセスポイントからの信号を加重和により結合する。
【００１７】
加重和の結果は、例えば、デジタルアンテナビームフォーミングを行うのに使用される。
【００１８】
本発明の別の態様によると、分散フレーム機器と、分散型アクセスポイントとの間の通信手段は、ＣＰＲＩタイプの光リンクに対応する。
【００１９】
分散フレーム機器は、例えば、同一の長さの光ファイバによって各分散型アクセスポイントにリンクされて、前記分散フレーム機器によって送信および受信された信号の遅延の拡散を発生させることを防止する。
【００２０】
分散フレーム機器と分散型アクセスポイントとの間の通信手段は、例えば、有線リンクまたは専用無線リンクに対応する。
【００２１】
一実施形態では、分散型アクセスポイントは、ユーザ端末が近隣で検出されないときに、オフ（ｏｆｆ）となる。
【００２２】
例として、オフとなっている分散型アクセスポイントは、定期的にウェイクアップ（ｗａｋｅ  ｕｐ）して、ユーザ端末が近隣に位置しているかを確認し、ユーザ端末の存在は、受信電力が予め定義された閾値よりも大きいときに確認される。
【００２３】
ユーザ端末の場所は、例えば、異なる分散型アクセスポイントによって受信された複数の信号に基づいて実行される三角測量によって推測され、前記推測は、分散フレームにおいて実装される。
【００２４】
システムは、例えば、１つまたは複数の以下の技術、ＧＳＭ、ＵＭＴＳ、ＬＴＥに対して適合される。
【００２５】
本発明の別の主題は、ユーザ端末が、無線電気通信システムにより供給されるサービスにアクセスすることを可能にする分散型無線ヘッドであり、前記無線ヘッドは、分散フレーム機器、カバレッジエリアにおいて分散された複数の分散型アクセスポイント、および分散フレーム機器と分散型アクセスポイントとの間の通信手段から構成され、分散フレーム機器は、カバレッジエリアにおいて送信されることになる信号を、すべての分散型アクセスポイントに送信する手段を備え、前記分散型アクセスポイントは、前記信号を電波の形式でカバレッジエリアに存在するユーザ端末に送信する前に、それを搬送波周波数に変換することを可能にする無線周波数処理手段を備える。
【００２６】
本発明の一態様によると、分散型アクセスポイントは、 ユーザ端末から受信されたベースバンド無線信号を分散フレーム機器に送信する前に、それらに変換する手段を備える。
【００２７】
本発明の他の特徴および利点は、添付される図面を参照して、例示および非限定的な例として与えられる以下の発明の詳細な説明から明らかになるであろう。
【図面の簡単な説明】
【００２８】
【図１ａ−ｂ】送受信局のアーキテクチャの２つの例を提供する。
【図２】分散型無線ヘッドを有する局を使用した無線電気通信システムの例を示す。
【図３】分散型無線ヘッドを実装することができるアーキテクチャの例を提供する。
【図４】分散フレーム機器に対して使用することができるアーキテクチャの簡単な例を示す。
【図５】分散型アクセスポイントのアーキテクチャの例を示す。
【発明を実施するための形態】
【００２９】
図１ａおよび１ｂは、送受信局のアーキテクチャの２つの例を提供する。
【００３０】
送受信局の製造者は、例えば、「Ｏｐｅｎ  Ｂａｓｅ  Ｓｔａｔｉｏｎ  Ａｒｃｈｉｔｅｃｔｕｒｅ  Ｉｎｉｔｉａｔｉｖｅ」を表す、ＯＢＳＡＩなどのコンソーシアムのフレームワークにおいて、アーキテクチャの標準を確立しようとする。これらの標準の目的は、電気通信オペレータにより負担されるインフラストラクチャコストを削減することである。これに対して、基地局は、複数の標準化され、それゆえに互換性のあるモジュールで構成される。したがって、オペレータは、異なる製造者からのモジュールから自身の局を構成することができる。
【００３１】
同一の理由で、局を構成する異なるモジュール間のインタフェースプロトコルの標準化はまた、関心のあるものとなる。「Ｃｏｍｍｏｎ  Ｐｕｂｌｉｃ  Ｒａｄｉｏ  Ｉｎｔｅｒｆａｃｅ」を表すＣＰＲＩインタフェースは、この一例である。
【００３２】
最近の局は、１つまたは複数の無線ヘッド１０１、１０２、１０４、１０５、１０６、および、制御設備機器１００、１０３で構成される。ＣＰＲＩインタフェースは、ともに局を構成する要素を容易にリンクすることを可能にする標準化されたインタフェースの例である。この標準では、無線ヘッドは、「無線機器（Ｒａｄｉｏ  Ｅｑｕｉｐｍｅｎｔ）」を表す頭字語ＲＥによって指定され、および、制御設備機器は、「無線機器制御（Ｒａｄｉｏ  Ｅｑｕｉｐｍｅｎｔ  Ｃｏｎｔｒｏｌ）」を表す頭字語ＲＥＣによって指定される。
【００３３】
図１ａは、標準化インタフェースを使用してともにリンクされた複数のモジュールで構成された基地局の第１の例を提供する。この例では、制御設備機器１００は、標準化リンク１０７を使用することによって、第１の無線ヘッド１０１にリンクされる。次いで、前記無線ヘッド１０１はまた、第２の標準化リンク１０８を使用して、第２の無線ヘッド１０２にリンクされる。標準化リンクは、例えば、ＣＰＲＩリンクである。ＣＰＲＩタイプのリンクは、無線制御設備機器が、例えばファイバ光リンクを介して１つまたは複数の無線ヘッドにリモートにリンクされる、分散型局アーキテクチャを構築することを可能にする。標準化リンクの使用は、サービスプロバイダに対するコストを削減する効果を有する。実際には、無線ヘッドは、多くの場合、アクセスすることが困難な場所に配置される必要があるのに対し、特に、デジタルプロセッサを構成する制御機器を、より容易にアクセス可能なリモートエリアに配置することができる。所与の局に対し、異なる無線ヘッドＲＥは、システムによって使用することができる無線リソースの一部を割り当てられる。干渉を削減するために、無線ヘッドが属する局によってカバーされるエリアの一部をカバーする無線ヘッドは、異なる無線リソースを使用する。例示的な図１ａは、無線ヘッドが連続してリンクされるアーキテクチャを示す。ＣＰＲＩリンクが例として提供されるが、非限定的な例であり、標準化リンクの他のタイプが本発明の範囲において実装されることが可能である。
【００３４】
図１ｂは、標準化インタフェースを使用してともにリンクされた複数のモジュールで構成された基地局の第２の例を提供する。この例では、制御設備機器１０３は、標準化リンク１０９を使用することによって第１の無線ヘッド１０４にリンクされる。この無線ヘッド１０４はまた、２つの標準化リンク１１０、１１１を使用することによって、２つの他の無線ヘッド１０５、１０６にリンクされる。これらの標準化リンク１０９、１０９、１１０、１１１は、例えば、ＣＰＲＩリンクである。無線ヘッドを連続で、並列して、またはさらにハイブリッドネットワークによってともに接続することができると思われる。
【００３５】
図２は、分散型無線ヘッドを有する局を使用した無線電気通信システムの例を示す。
【００３６】
この例では、モバイル無線システムが考慮されるが、本発明を、ユーザ端末のモビリティを管理しない無線電気通信システムに適用することができる。
【００３７】
５つのセル２００、２０１、２０２、２０３、２０４は、システムの配備フェーズにおいて定義されたエリアをカバーすることを可能にし、システムの無線リソースは、前記セル間で分散される。使用される技術に応じて、これらのリソースは、周波数ドメインリソース、タイムドメインリソース、および／または多元アクセスコードであってもよい。
【００３８】
所与のセルに対し、図１ａおよび１ｂの支援により示されたのと同一のタイプの１つまたは複数の無線ヘッドを使用することができ、無線リソースのサブセットは、これらの無線ヘッドの各々に対して割り当てられる。これらの無線ヘッドは、従来型無線ヘッドと称される。したがって、第１のセル２００では、４つの従来型無線ヘッド２１０、２１１、２１２、２１３が使用される。第２のセル２０１では、４つの従来型無線ヘッド２１３、２１４、２１５、２１６であって、１つの従来型無線ヘッド２１３が、第１のセル２００および第２のセル２０１の両方に対して使用される。第３のセル２０２では、従来型無線ヘッド２１７が使用される。第４のセル２０３では、従来型無線ヘッド２１８が使用される。システムの第５のセル２０４は、分散型無線ヘッドによってカバーされる。分散型無線ヘッドは、従来型無線ヘッドとは異なる。それは、分散フレーム機器２０９および複数の分散型アクセスポイントＰＡＤ２０５、２０６、２０７、２０８から構成され、前記分散型アクセスポイントは、セル２０４のすべてをカバーするような方法で分散される。分散フレーム機器２０９は、ベースバンドデジタル信号を使用することによって、分散型アクセスポイントと通信する。これは、帯域幅を得ること、および、外乱から信号を保護することを可能にする。
【００３９】
コアネットワークと、および／または、外部ネットワークと通信するために、局は、制御設備機器２１８に直接的、または、間接的のいずれかで接続される。
【００４０】
図３は、分散型無線ヘッドを実装することができるアーキテクチャの例を提供する。
【００４１】
システムは、少なくとも１つの制御設備機器３００を備える。この設備機器３００を、１つまたは複数の無線ヘッド３０１、３０２とリンクすることができる。また、制御設備機器３００を、１つまたは複数の分散型無線ヘッド３０３にリンクすることができる。上述したように、分散型無線ヘッドは、分散フレーム３０４と称される設備機器と、１つまたは複数の分散型アクセスポイントＰＡＤ３０８、３０９、３１０、３１１、３１２とから構成される。制御設備機器３００を、分散型無線ヘッドおよび／または従来型無線ヘッド３０１、３０２に属する分散フレーム機器に、例えば標準化インタフェースを使用することによってリンクすることができる。この標準化インタフェースは、ＣＰＲＩタイプの光リンク、有線リンク、または専用無線リンクとすることができる。従来型無線ヘッド３０１、３０２、および分散型無線ヘッド３０３は、それらに割り当てられた無線リソースを使用することによって、ユーザ端末３０５、３０６、３０７にデータを受信および送信する。実装される無線技術に応じて、これらの無線リソースは、搬送波周波数のセット、ＣＤＭＡコードのセット、および／またはタイムスロットのセットに対応してもよい。
【００４２】
言い換えると、従来型無線ヘッド３０１、３０２が所与の地理的エリアをカバーするのに使用されるときに、それに使用可能な無線リソースが、前記無線ヘッドに位置するアクセスポイントのおかげで、このエリアに存在するユーザ端末３０５、３０６、３０７によって使用される。従来型無線ヘッドは、アンテナ、または、マルチアンテナ技術が使用されるときにアンテナアレイを形成するように同一場所に配置される複数のアンテナを備える。
【００４３】
分散型無線ヘッド３０３が使用されるときに、これによってカバーされるエリアのすべてを通じて同一の無線リソースが使用される。分散型アクセスポイントＰＡＤ３０８、３０９、３１０、３１１、３１２は、ユーザ端末がＰＡＤに常に近接するような方法で、このエリアにおいて地理的に分散される。ＰＡＤの地理的分散は、特に、ユーザ端末の近接性を理由に、これらの設備機器により放射される電力が削減されるという利点を有する。アクセスポイントが分散される方式は、リンク予算を制定する無線エンジニアの一般的な知識の一部を形成する。ユーザ端末の、および分散型アクセスポイントＰＡＤの近接性を理由に、使用されるアンテナの寸法を最小限にすることができる。有利には、これらの分散型アクセスポイントＰＡＤの減少されたサイズは、それらの設置の間に、人々との関係を容易にする環境において調和して統合された個別の設置を可能にする。送信機の電力が低いので、電力増幅器も電力効率が改善される。有利には、冷却装置が必要とされず、および、ソーラーパネルを使用することによる分散型アクセスポイントＰＡＤへの電力供給を予想することができる。
【００４４】
別の利点は、当業者にとって公知である信号の一時的な拡散の現象が限定されるので、信号の歪みがより少なくなることである。実際には、アクセスポイントＲＰ３０８、３０９、３１０、３１１、３１２が、カバレッジエリアのすべてを通じて分散されるので、単一の無線アクセスポイントを備える従来型無線ヘッドのみに基づいているシステムと比較して、ユーザ端末が分散型アクセスポイントのアンテナと直接見通しになることになる可能性が改善される。セルの境界においてユーザに供給されるビットレートの低減は、削減された電力密度に起因した公知な現象である。ここで、この低減は、電力密度がＰＡＤの分散された特性の結果、全体のセルを通じて実質的に均一であるので、削減される。
【００４５】
ＬＴＥのような第４世代システムでは、リレーの使用が影のエリアの影響に対抗するために提供され、および、セルの境界において使用可能なビットレートを改善する。リレーは、セルの異なるチャネルから信号を受信し、それらを増幅し、および、それらを再送信する。これらの送信は、ノイズの要因を理由に、グレア（ｇｌａｒｅ）および劣化の問題を抱えることがある。分散型無線ヘッドを実装するシステムでは、影のエリアは、例えばファイバータイプの専用リンクによる分散フレームにリンクされたＰＡＤによってカバーされる。
【００４６】
従来技術に属する解決策は、ピコセル、すなわち、小型のカバレッジエリアをカバーする従来型無線ヘッドを実装することを提案する。このタイプの解決策では、ユーザ端末はまた、ピコセルにできるだけ近くにある。しかしながら、隣り合って配置されたピコセルは、それらに特有な無線リソースを使用する。これらのリソースは、潜在的に、それらの近隣に割り当てられたリソースとは異なる。結論は、１つから、１つのピコセルから別に移動するユーザ端末のモビリティが管理される必要があることである。したがって、それらの移動の間に通信の継続性を保証する手段を導入する必要があり、この継続性は、通常は、いわゆる「ハンドオーバ」技術を使用して実装される。
【００４７】
図３によって示されるシステムでは、同一の無線リソースが、Ｎ個の分散型アクセスポイントＰＡＤを使用することによって、分散型無線ヘッドによりカバーされるエリアのすべてを通じて使用される。したがって、ユーザ端末が分散型無線ヘッドによりカバーされるエリア内を動き回っているときには、これらの「ハンドオーバ」技術を導入する必要はない。
【００４８】
好ましい実施形態では、分散型アクセスポイントＰＡＤは、ユーザ端末が近隣において検出されないときにはオフとなる。例として、オフである分散型アクセスポイントは、ユーザ端末が近隣に位置しているかを確認するために、定期的にウェイクアップすることができる。これに対し、それは、システムの周波数帯域における受信電力レベルを確認し、および、それを閾値と比較することができる。分散型アクセスポイントＰＡＤは、例えば、２０ミリ秒の間、毎Ｐ秒ごとにウェイクアップする。
【００４９】
一旦、設定されると、分散型アクセスポイントＰＡＤは、既知の場所を有する。それらの近接性を理由に、端末は複数の無線アクセスポイントとの無線見通し（ｒａｄｉｏ  ｖｉｓｉｂｉｌｉｔｙ）内にあることが多い。この無線見通しは、直接経路の存在に反映される。したがって、端末の場所を、異なる分散型アクセスポイントによって受信される複数の信号に基づいて実行される三角測量によって推定することができる。代わりに、端末の場所を、分散型アクセスポイントＰＡＤの各々に割り当てられた識別子ＩＤを使用することによって推定することができ、端末が通信するＰＡＤの識別子ＩＤの知識は、この推定を可能にする。
【００５０】
このような場所推定を、分散フレームにおいて実装することができる。
【００５１】
図４は、分散フレーム機器に使用することができるアーキテクチャの簡単な例を示す。
【００５２】
この例では、分散フレーム機器は、１つまたは複数の分散型アクセスポイントＰＡＤに接続する手段を備える。これらの手段は、例えば、データ管理モジュール４０４がリンクされる入力ポート４００、４０１、４０２、４０３に対応する。このモジュールの機能は、ポート４００、４０１、４０２、４０３上で受信されたデータ、および、これらの同一のポート上で送信されることになるデータを、フォーマットおよび同期することである。
【００５３】
各ポート４００、４０１、４０２、４０３は、例えば、同一の長さの光ファイバによって分散型アクセスポイントＰＡＤにリンクされて、分散フレーム機器によって送信および受信された信号の遅延の拡散を発生させることを防止する。このリンクは、ベースバンドにおいて信号のデジタルサンプルを送信することを可能にする。
【００５４】
機器はまた、デジタル信号処理モジュール４０５を備える。この主要な機能は、以下の式により与えられる単一の加重和を使用することによって、異なる入力／出力ポート４００、４０１、４０２、４０３から受信されたデジタル信号を結合することである。
【数１】
2015510290.tif 000003
ここで、ｘｉ［ｋ］は、ｉ番目のポート上で受信された信号のｋ番目のサンプルを表す。ａｉは、ｉ番目のポートによって受信された信号に適用される重み付け係数を表す。ｙ［ｋ］は、加重和の結果である信号を表す。Ｍは、使用される入力／出力ポート、ゆえに、分散型アクセスポイントＰＡＤからの信号の総数を表す。
【００５５】
信号処理モジュールはまた、例えば、チャネルコーディングおよびデコーディング、ソースコーディングおよびデコーディング、ならびに干渉防止フィルタリングおよび処理機能を備える。実装されることになる機能の選択は、使用される送信技術によって決まる。本発明にしたがったシステムを、例えば、ＵＭＴＳまたはＬＴＥに対して実装することができる。
【００５６】
分散フレーム機器はまた、１つまたは複数の制御設備機器を接続する手段を備える。これらの手段は、例えば、ＣＰＲＩの光学タイプのインタフェースの管理手段に対応する。したがって、機器は、光入出力ポート４０７を備え、それに第１のデータ管理モジュール４０６が続く。このモジュールの目的は、受信されるパケットをフォーマットし、および、光インタフェースを通じて送信することである。モジュール４０６は、「オープンシステム相互接続」、ＯＳＩ参照モデルのレイヤ１および２に対応する機能を結合する。
【００５７】
図５は、分散型アクセスポイントのアーキテクチャの例を示す。分散型アクセスポイントＲＰは、入出力ポート５００、および、例えば、光学のインタフェース５０５を介して分散型アクセスポイントＰＡＤから分散フレーム機器へのデジタルデータの送信および受信を管理することを可能にするデータ管理モジュール５０１を備える。モジュール５０１の目的は、受信されるパケットおよび光インタフェースを通じて送信されることになるパケットをフォーマットすることである。モジュール５０１は、例えば、ＯＳＩ参照モデルのレイヤ１および２に対応する機能を結合する。
【００５８】
デジタル信号処理モジュール５０２を、１つまたは複数のデジタルフィルタを実装するのに使用することができる。変換モジュール５０３が使用され、ならびに、アナログ−デジタル変換器ＡＤＣおよびデジタル−アナログ変換器ＤＡＣを備え、受信される信号およびアクセスポイントＲＰからユーザ端末に送信されることになる信号の必須の変換を実行する。次いで、無線周波数モジュール５０４は、特に、ユーザ端末からのアナログ信号のベースバンド変換、および、前記端末に送信されることになる信号の搬送波周波数への変換に使用される。
【００５９】
代替的実施形態では、分散型アクセスポイントは、変換モジュールを備えず、信号は、これら２つの設備機器間でアナログの形式で交換される。
【図１】
2015510290.tif 000004
【図２】
2015510290.tif 000005
【図３】
2015510290.tif 000006
【図４】
2015510290.tif 000007
【図５】
2015510290.tif 000008
【国際調査報告】
2015510290.tif 000009
2015510290.tif 000010
2015510290.tif 000011
2015510290.tif 000012